(57)【要約】【課題】シール性の経時低下を抑制する長尺ノズル付噴射ボタンを提供する。【解決手段】ノズル部１５の先端部がボール部１６に形成され、真円環状ボール対接部３１と、ボール部１６を包囲するボール挟持片３３とがソケット部３０に形成され、使用位置でボール部１６の背面に圧接するように、円弧状ボール押圧突起３５が形成され、ノズル部１５に、ボール挟持片３３に圧接するソケット圧接片１７が設けられ、その内周面には、格納位置でボール挟持片３３の外周面に当接せず、使用位置でボール押圧突起３５よりも先方部分に圧接する内周面領域１７ｂが形成される。格納位置ではボール押圧突起３５がボール部１６の上面領域に当接すると共に、内周面領域１７ｂはボール挟持片３３に圧接せず、使用位置では内周面領域１７ｂが先方部分の外周面に圧接してボール挟持片３３を互いに接近するように弾性で撓ませて、ボール押圧突起３５でボール部１６を押圧してボール対接部３１を正面領域１６ａに圧接してシール性を確保する。【選択図】          図１
2004329977.tif 000002
【特許請求の範囲】
【請求項１】
エアゾール容器の頭部から突出するバルブステムに基端部が嵌着する噴射ボタンに設けられたノズル部の先端部に、長尺ノズルの基端部のロータに形成されたソケット部が回転自在に連結することにより、長尺ノズルが下向きの格納位置へ回動されると、噴射ボタンの押し下げ操作によりノズル部先端部の噴射口から内容物が直接前方へ噴射され、一方長尺ノズルが前向きの使用位置へ回動されると、噴射口がソケット部の流入路に連通することにより長尺ノズルの先端から噴射される長尺ノズル付噴射ボタンにおいて、
ノズル部先端部が正面領域の中心部に噴射口を備えた球面状のボール部として形成されると共に、中心部に流入路が形成され、かつ前記正面領域に対接する真円環状のボール対接部と、前記ボール部の直径に対応した断面円弧状の内周面を備えて、前記ボール部の側面を包囲するように、前記ボール対接部の両側から延びる両側一対のボール挟持片とがソケット部に形成され、また使用位置で前記ボール部の背面領域に圧接するように、前記直径よりも小さな内径の円弧状のボール押圧突起が前記内周面に形成され、
前記ノズル部に前方へ延びて前記ボール挟持片に両側から圧接する両側一対のソケット圧接片が設けられると共に、このソケット圧接片の内周面には、格納位置では前記ボール挟持片の外周面に当接せず、かつ前記使用位置では前記ボール挟持片における前記ボール押圧突起よりも先方部分の前記外周面に圧接するソケット圧接部が形成され、
前記格納位置では、前記ボール押圧突起が前記ボール部の上面領域に当接すると共に、前記ソケット圧接部は前記ボール挟持片に圧接せず、一方前記使用位置では前記ソケット圧接部が前記先方部分の前記外周面に圧接して前記ボール挟持片を互いに接近するように弾性で撓ませることにより、前記ボール押圧突起で前記ボール部を押圧して前記ボール対接部を前記正面領域にシール性を確保するように圧接させることを特徴とする長尺ノズル付噴射ボタン。
【請求項２】
ソケット圧接片が、ボール部の側方へ延びると共に、前記ソケット圧接片の両側の平面状内周面がソケット圧接部として形成されれ、さらに前記ソケット圧接片における前記ソケット圧接部よりも先方の内周面領域は、格納位置でボール挟持片の外周面が当接しないように、後退面としてそれぞれ形成されていることを特徴とする請求項１記載の長尺ノズル付噴射ボタン。
【請求項３】
ボール挟持片の両側の外周面が先方へ延びるのに伴って徐々に大きく互いに離反するように斜めに形成されると共に、使用時に前記ボール挟持片の外周面先端が、ソケット圧接片のソケット圧接部としての平面状内周面に圧接することを特徴とする請求項２記載の長尺ノズル付噴射ボタン。
【請求項４】
ソケット圧接片の両側の内周面が先方へ延びるのに伴って徐々にに大きく互いに離反するように斜めにに形成されると共に、使用時にボール挟持片の外周面先端が、前記ソケット圧接片のソケット圧接部としての平面状内周面に圧接することを特徴とする請求項２記載の長尺ノズル付噴射ボタン。
【請求項５】
ボール挟持片の両側の外周面及びソケット圧接片の両側の内周面がそれぞれ互いに近接して略平行であり、前記内周面にソケット圧接部として突出部が形成されていることを特徴とする請求項１記載の長尺ノズル付噴射ボタン。
【発明の詳細な説明】
【０００１】
【発明の属する技術分野】
本発明は、エアゾール容器の頭部から突出するバルブステムに基端部が嵌着する噴射ボタンに設けられたノズル部の先端部に、長尺ノズルの基端部のロータに形成されたソケット部が回転自在に連結することにより、長尺ノズルが下向きの格納位置へ回動されると、噴射ボタンの押し下げ操作によりノズル部先端部の噴射口から内容物が直接前方へ噴射され、一方長尺ノズルが前向きの使用位置へ回動されると、噴射口がソケット部の流入路に連通することにより長尺ノズルの先端から噴射される長尺ノズル付噴射ボタンに関するものである。
【０００２】
【従来の技術】
この種の連結部分としては、文献１により、ノズル先端部のディスク状部分に長尺のロータの円筒状ソケット部を回転自在に連結させたのが周知である。逆に、文献２により、ノズル先端部の凹曲面状のソケット部に、ロータのディスク部分を回転自在に連結させのも周知である。これらにより、長尺ノズルを下向きに容器に沿ってセットした格納状態ではノズル先端部の噴射口から直接前方へ噴射させ、長尺ノズルを水平方向の使用位置にセットした状態では噴射口から長尺ノズルを経由して前進位置から噴射させることができる。
【０００３】
【特許文献１】
実開昭６１−１０６３６５号公報
【特許文献２】
特開２００２−２４８３８４号公報
【０００４】
【発明が解決しようとする課題】
このようなロータの場合、ボールジョイントを用いることなく、長尺ノズルをノズル部に回動自在に付属させることができるが、内溶液が漏れないようにシール性を確保するには、ロータとノズル先端部との当接部分を圧着させる必要があり、したがってロータを繰返し回動操作する過程で磨耗によりシール性が低下する問題がある。
【０００５】
本発明は、このような点に鑑みて、経時的なシール性の低下を抑制し得る冒頭に述べた類の長尺ノズル付噴射ボタンを提供することを目的とする。
【０００６】
【課題を解決するための手段】
本発明は、この目的を達成するために、請求項１により、エアゾール容器の頭部から突出するバルブステムに基端部が嵌着する噴射ボタンに設けられたノズル部の先端部に、長尺ノズルの基端部のロータに形成されたソケット部が回転自在に連結することにより、長尺ノズルが下向きの格納位置へ回動されると、噴射ボタンの押し下げ操作によりノズル部先端部の噴射口から内容物が直接前方へ噴射され、一方長尺ノズルが前向きの使用位置へ回動されると、噴射口がソケット部の流入路に連通することにより長尺ノズルの先端から噴射される長尺ノズル付噴射ボタンにおいて、ノズル部先端部が正面領域の中心部に噴射口を備えた球面状のボール部として形成されると共に、中心部に流入路が形成され、かつ正面領域に対接する真円環状のボール対接部と、ボール部の直径に対応した断面円弧状の内周面を備えて、ボール部の側面を包囲するように、ボール対接部の両側から延びる両側一対のボール挟持片とがソケット部に形成され、また使用位置でボール部の背面領域に圧接するように、直径よりも小さな内径の円弧状のボール押圧突起が内周面に形成され、ノズル部に、前方へ延びてボール挟持片に両側から圧接する両側一対のソケット圧接片が設けられると共に、このソケット圧接片の内周面には、格納位置ではボール挟持片の外周面に当接せず、かつ使用位置ではボール挟持片におけるボール押圧突起よりも先方部分の外周面に圧接するソケット圧接部が形成され、格納位置ではボール押圧突起がボール部の上面領域に当接すると共に、ソケット圧接部はボール挟持片に圧接せず、一方使用位置ではソケット圧接部が先方部分の外周面に圧接してボール挟持片を互いに接近するように弾性で撓ませることにより、ボール押圧突起でボール部を押圧してボール対接部を正面領域にシール性を確保するように圧接させることを特徴とする。
【０００７】
噴射ボタンの押し下げ操作によりボール部の噴射口から直接前方へ噴射される格納位置では、ボール挟持片がソケット圧接片にその形状構成により圧接せず、したがってボール押圧突起によるボール部に対する押圧が解除される。長尺ノズルが前方へ回動操作される使用位置では、ボール挟持片がソケット圧接片のソケット圧接部に圧接することにより、ボール挟持片の弾性撓みでボール押圧突起がボール部を押圧し、ボール対接部をボール部の正面領域に圧接してシール性を確保させる。
【０００８】
【発明の実施の形態】
図１乃至図３を基に本発明の実施の形態の一例による長尺ノズル付噴射ボタンを説明する。噴射ボタン１０は、例えば殺虫剤を内容物とするエアゾール容器１の頭部に突設されているバルブステム２に基端部で嵌着する嵌着部１１と、この嵌着部に連通して横方向に延び、かつパイプ状ノズル部１５の基端部１５ａを嵌入させる嵌入口１２ａを先端部に備えたノズル嵌入部１２とを備え、嵌着部１１の上面部で押し下げ操作される。嵌着部１１は、エアゾール容器１の頭部に装着されたマウンティングカップをカバーするカバーキャップ３の操作用開口部３ａを通して、このマウンティングカップから上方付勢状態で突出するバルブステム２に嵌着する。さらに、噴射ボタン１０には長尺ノズル２５が付属しており、その基端部がロータ２０の接続部２４に嵌入されて、ノズル部１５に連結可能になっている。
【０００９】
このような構成は基本的には周知であるが、本発明によりノズル部１５には前方へ延びる後述のソケット圧接片１７が付属しており、その基端部１８ａの嵌合穴１８でノズル部１５の外周面１５ａに嵌合するようになっている。ノズル部１５の内部には流路１４が横方向へ形成されると共に、先端部には球状に膨出されたボール部１６が形成され、その正面領域１６ａの中心部に流路１４に連通する噴射口１９が形成されている。
【００１０】
一方、ロータ２０の基部には、ボール部１６に回転自在に連結するソケット部３０が形成されている。このソケット部は、図１及び図２に示すように、内周面が円錐状の流入路２２として形成され、先端部がボール部１６の正面領域１６ａに当接する筒状のボール対接部３１と、このボール対接部の基部の両側から噴射ボタン１０側に向けて延びて、ボール部１６を両側から挟持する両側一対のボール挟持片３３とを備えている。流入路２２の中心線は流路１４の水平な横方向の中心線と同軸状であり、ボール対接部３１の先端部は、この同軸状中心線を中心とした真円環状であり、かつこの環状の細片形状により弾性を呈し易くなっている。
【００１１】
ボール挟持片３３は、ボール部１６の基部近辺に達するまで延びるのに伴って互いに離反するように前述の中心線に対して斜めの互いに非平行に形成されると共に、ボール部１６の直径に対応する内径の内周面及び均一の肉厚分だけ外径を大きくした外周面を備えて断面円弧状に延びている。さらに、ボール挟持片３３の内周面には、長尺ノズル２５が水平方向の使用位置にセットされた状態で、ボール部１６の背面領域１６ｂに圧接することによりボール部１６を押圧するように、前述の中心線を中心としてボール部１６の直径よりも小さな内径の円弧状のボール押圧突起３５が形成されている。
【００１２】
ソケット圧接片１７の両側一対のプレート状の圧接片本体１７ａの内周面は、使用位置でボール挟持片３３の外面先端を圧接させて内側に撓ませ得る程度の離間距離を有する平面状で、かつ互いに略平行である。圧接片本体１７ａの上下幅は、ボール部１６の直径よりも大きく設定され、格納位置で垂直方向に回動したボール挟持片３３の先端を上方へ突出させないようになっている。また、ソケット圧接部として機能する両側の内周面領域１７ｂよりも先方領域には、長尺ノズル２５の格納位置でボール挟持片３３の外周面に当接しないように、互いの離間距離を相対的に大きくする段差状の後退面１７ｃが形成されている。
【００１３】
以上説明した各部は合成樹脂の成型品であることにより、特にボール挟持片３３には撓むように曲げ弾性が与えられ、また各部に嵌合性も与えられる。組立てに際して、嵌着部１１をバルブステム２に基端部で嵌着させると共に、ノズル嵌入部１２の嵌入口１２ａをカバーキャップ３の先端開口部３ｂにセットする。ソケット圧接片１７の嵌合穴１８でノズル部１５に嵌合させた状態で、ノズル部１５を嵌入口１２ａに嵌合させ、ソケット圧接片１７の回転位置を垂直方向に設定した状態で、その基端面をノズル嵌入部１２の先端面に当接させる。次いで或は最初に、ボール挟持片３３をその回転位置が垂直方向へ向けられてボール部１６を挟持させ、ソケット圧接片１７の内側に挿入する。
【００１４】
このように構成された長尺ノズル付噴射ボタン１０の動作は次の通りである。図３Ｂに示すように、長尺ノズル２５がエアゾール容器１の側面に沿って折り曲げ状態に格納されている状態では、両側のボール挟持片３３間の隙間に噴射口１９が位置することにより、噴射ボタン１０の押し下げ操作により、直接前方へ噴射される。一方、長尺ノズル２５の使用時に、図３Ａに示すように、水平位置へ回動させた状態で押し下げ操作されると、内容液が噴射口１９から流入路２２を経由して長尺ノズル２５の先端を噴射口として前方へ噴射される。
【００１５】
格納位置では、ソケット部３０は、ボール部１６の上面領域に当接したボール押圧突起部３５で下方への脱落が拘束され、直径対応の円弧状のボール挟持片３３の当接で前後方向への脱落が拘束され、ボール対接部３１の当接で上方への抜けが防止された状態で、ソケット部３０がボール部１６に連結状態に挟持している。また、ボール挟持片３３が、ソケット圧接片１７の後退面１７ｃに隙間を置いて対面し、したがってソケット圧接片１７によるボール挟持片３３の圧縮挟持が解除され、ボール押圧突起３５によるボール対接部３１のボール部１６に対するシール性を確保する圧接が解除される。
【００１６】
一方、使用時には、ボール挟持片３３のボール押圧突起３５がボール部１６の背後へ回動し、その背面領域１６ｂに当接すると共に、ボール押圧突起３５よりも先方の外周面先端がソケット圧接部としての内周面領域１７ｂに圧接することにより、ボール挟持片３３が弾性反力で撓んでボール押圧突起３５でボール部１６を前方へ押圧し、したがってその反力後退でボール対接部３１がボール部１６の正面領域１６ａに圧接してシール状態が確保される。
【００１７】
このように、長尺ノズル２５の使用位置近辺以外では、ソケット部３０及びボール部１６間の圧接が解除され、回動操作の繰返しに伴う互いの磨耗が抑制され、またボール挟持片３３の弾性を伴う挟持力によりボール部１６、ボール押圧突起３５及びボール対接部３１の磨耗も補償されることにより、シール性が長期にわたり保証される。また、このボール対接部の撓みによりシール性自体も向上する。さらに、ソケット部を完全球面状に形成する必要もなくなる。
【００１８】
尚、別の実施の形態の形態として、ボール挟持片３３は前述のように斜めに形成することなく、両側で互いに平行に形成し、ソケット圧接片１７の後退面１７ｃとの境目近辺をボール挟持片３３を僅かに内側に撓ませるソケット圧接部とすることもできる。また、ボール挟持片は斜めに形成することなく、或は斜めのままで、ソケット圧接片を先方へ向かうに伴って、その両側の内周面が互いに徐々に離反するように斜めに形成し、その途中部分をソケット圧接部とすることも考えられる。さらに、ボール挟持片の両側の外周面及びソケット圧接片の両側の内周面を略平行にして、ソケット圧接片の先端部内周面をソケット圧接部として終端させ、ボール部の側方を包囲しないように短く形成することも考えられる。
【００１９】
図４はさらに別の実施の形態によるソケット及びボール部分を示すもので、前述のものと同一もしくは同等部分は同一符号で説明する。両側一対のソケット圧接片１７Ａ及び両側一対のボール挟持片３３Ａはそれぞれ同一肉厚で延びて、ボール挟持片３３Ａの両側の外周面及びソケット圧接片１７Ａの両側の内周面がそれぞれ実質上撓みを生じない程度に互いに近接している。ソケット圧接片１７Ａの両側の内周面には、ソケット圧接部として上下のライン状突出部３８が、ボール挟持片３３Ａから見てボール押圧突起３５よりも先方位置に形成されている。尚、外観を考慮しない場合、突出部３８の先方領域を廃止して、ソケット圧接片１７Ａを短くすることもできる。
【００２０】
【発明の効果】
本発明によれば、ソケット部のボール対接部が、ボール部に長尺ノズルの使用時近辺でのみシール性を確保するように圧接することにより、常時圧接されている場合に較べて、長尺ノズルの回動操作に伴う互いのシール領域の磨耗が抑制される。したがって、シール性が長期にわたり保証される。
【図面の簡単な説明】
【図１】本発明の実施の形態による長尺ノズル付噴射ボタンの要部を示すもので、同図Ａは長尺ノズルの使用状態のソケット部の断面図、同図Ｂは格納状態のソケット部の平面図、同図Ｃはソケット部の背面図である。
【図２】同長尺ノズル付噴射ボタンの分解斜視図である。
【図３】同長尺ノズル付噴射ボタンのエアゾール容器への組付け状態を示すもので、同図Ａは長尺ノズルの使用状態を示す斜視図、同図Ｂは格納状態の斜視図である。
【図４】別の実施の形態による長尺ノズル付噴射ボタンの図１Ａに対応する断面図である。
【符号の説明】
１  エアゾール容器
１０  噴射ボタン
１４  流路
１５  ノズル部
１６  ボール部
１６ａ  正面領域
１６ｂ  背面領域
１７，１７Ａ  ソケット圧接片
１７ｃ  後退面
１９  噴射口
２０  ロータ
２２  流入路
２５  長尺ノズル
３０  ソケット部
３１  ボール対接部
３３，３３Ａ  ボール挟持片
３５  ボール押圧突起
【図１】
2004329977.tif 000003
【図２】
2004329977.tif 000004
【図３】
2004329977.tif 000005
【図４】
2004329977.tif 000006